(57)【要約】      （修正有）【課題】比較的簡単な構成で、非力な者であっても簡単にチャージ操作が可能である生検装置を提供する。【解決手段】生検針をチャージ位置にロックするとともに、当該ロックを解除することで突出位置へと発射させる生検装置１０。生検装置１０には、内針チャージ用孔１２および外針チャージ用孔１６が形成されていて、これらの孔に外部から挿入した内針チャージ部材１２０および外針チャージ部材１６０によって、内針用スライダあるいは外針用スライダをスプリングの付勢力に抗してチャージ位置までスライドさせて、そこにロックすることができる。また、チャージ装置は、生検装置１０を固定する固定部１００と、内針チャージ部材１２０および外針チャージ部材１６０をそれぞれ、固定部１００に固定された生検装置１０の内針チャージ用孔１２および外針チャージ用孔１６へと進退可能に保持するチャージ部２００とを備える。【選択図】図７
2015002916.tif 000002
【特許請求の範囲】
【請求項１】
相対スライドする内針（２１）と外針（６１）で構成される生検針を保持し、内針と外針をそれぞれ「チャージ位置」にロックするとともに、当該ロックを解除することで「突出位置」へと発射させるロック解除機構を備えた生検装置（１０）であって、当該生検装置は、
ケーシング（１１）と、
内針（２１）を保持するとともに、ケーシング内で「チャージ位置」と「突出位置」との間でスライド可能な内針用スライダ（２０）と、
外針（６１）を保持するとともに、ケーシング内で「チャージ位置」と「突出位置」との間でスライド可能な外針用スライダ（６０）と、
内針用スライダ（２０）を「突出位置」へ向かって付勢する内針用スプリング（２２）と、
外針用スライダ（６０）を「突出位置」へ向かって付勢する外針用スプリング（６２）と、
内針用スライダ（２０）を、内針用スプリング（２２）の付勢力に抗して「チャージ位置」にロックする内針用ロック機構（１８、２６）と、
外針用スライダ（６０）を、外針用スプリング（６２）の付勢力に抗して「チャージ位置」にロックする外針用ロック機構（１９、６６）と、を備えていて、
ケーシング（１１）には、内針チャージ用孔（１２）および外針チャージ用孔（１６）が形成されていて、
内針用スライダ（２０）は、内針チャージ用孔（１２）の内側に位置していて、外部から当該内針チャージ用孔（１２）に挿入した内針チャージ部材（１２０）に押されて、内針用スプリング（２２）の付勢力に抗して「チャージ位置」までスライドすることができ、
外針用スライダ（６０）は、外針チャージ用孔（１６）の内側に位置していて、外部から当該外針チャージ用孔（１６）に挿入した外針チャージ部材（１６０）に押されて、外針用スプリング（６２）の付勢力に抗して「チャージ位置」までスライドすることができる、生検装置。
【請求項２】
上記内針用スライダ（２０）は、当該スライダ（２０）を内針用スプリング（２２）の付勢力に抗して「チャージ位置」まで引き戻す摘まみ部（３０）をさらに備え、
上記外針用スライダ（６０）は、当該スライダ（６０）を外針用スプリング（６２）の付勢力に抗して「チャージ位置」まで引き戻す摘まみ部（７０）をさらに備える、請求項１記載の生検装置。
【請求項３】
上記ロック解除機構は、ケーシング（１１）上に設けられていて生検針の発射方向とは反対方向へとスライド操作される操作部材（１）と、
操作部材（１）に対して歯車（Ｇ）を介して連結されていて、操作部材（１）がスライド操作されたときに、生検針の発射方向に移動することで、ロック状態にある内針用ロック機構（２６）に作用してロックを解除する内針ロック解除部材（３）と、
内針用スライダ（２０）に設けられていて、内針用スライダ（２０）が「チャージ位置」から「突出位置」へと発射されたときに、ロック状態にある外針用ロック機構（６６）に作用してロックを解除する外針ロック解除部材（４）とを備えている、請求項１または２記載の生検装置。
【請求項４】
請求項１〜３のいずれかに記載の生検装置（１０）を固定する固定部（１００）と、
内針チャージ部材（１２０）および外針チャージ部材（１６０）をそれぞれ、固定部（１００）に固定された生検装置（１０）の内針チャージ用孔（１２）および外針チャージ用孔（１６）へと進退可能に保持するチャージ部（２００）とを備えてなる、チャージ装置。
【請求項５】
上記チャージ部（２００）は、内針チャージ部材（１２０）を前進させる第１押込み部材（１３０）と、外針チャージ部材（１６０）を前進させる第２押込み部材（１７０）と、を備えており、
内針チャージ部材（１２０）および第１押込み部材（１３０）は、それぞれがラック部（１２１、１３１）を備えていて、歯車機構を介して互いに連結されており、
外針チャージ部材（１６０）および第２押込み部材（１７０）は、それぞれがラック部（１６１、１７１）を備えていて、歯車機構を介して互いに連結されている、請求項４記載のチャージ装置。
【請求項６】
上記チャージ部（２００）は、内針チャージ部材（１２０）を前進させる第１回動レバー（１３５）と、外針チャージ部材（１６０）を前進させる第２回動レバー（１７５）と、を備えており、
内針チャージ部材（１２０）はラック部（１２１）を備えていて、第１回動レバー（１３５）は、歯車機構を介して内針チャージ部材（１２０）と連結されており、
外針チャージ部材（１６０）はラック部（１６１）を備えていて、第２回動レバー（１７５）は、歯車機構を介して外針チャージ部材（１６０）と連結されている、請求項４記載のチャージ装置。
【請求項７】
上記内針チャージ部材（１２０）および外針チャージ部材（１６０）は、それぞれラック部（１２１、１６１）を有していて、当該ラック部と係合する電動歯車モータで駆動される、請求項４記載のチャージ装置。
【発明の詳細な説明】
【技術分野】
【０００１】
本発明は、生検針を発射可能に保持する生検装置、および発射に必要なエネルギを生検装置に蓄積させるチャージ装置に関する。
【背景技術】
【０００２】
メディカルチェック等を目的として、肝臓や腎臓などの体内組織の一部を採取する生検針が従来から知られている（特許文献１）。生検針は、筒状の外針と、外針の内部で相対スライドする内針とで構成されている。
このような生検針が発射可能に生検装置に保持される。すなわち、外針および内針がそれぞれ生検装置に対して、弾性エネルギを蓄えた「チャージ位置」から、弾性エネルギが解放された「突出位置」に向けて発射可能に保持されている。
【０００３】
使用に際して、外針および内針をスプリング部材による弾性力に抗して「突出位置」から「チャージ位置」へと移動させてその位置にロックする必要があるが、この操作は、生検装置本体に設けた操作部材を使用者が操作して行う。その際に必要な力は、一般的に４０〜４５Ｎ（約４．１〜４．６Ｋgf）であり、女性等の非力な者や、片手作業で行う場合には、容易ではなかった。
【０００４】
このような問題を解決するために、本件出願人は、外針および内針を発射前に片手で簡単に「チャージ位置」にロックできる生検装置を既に開発し、特許を取得している（特許文献２）。
しかしながら、この生検装置はリンク機構を利用していて構造がやや複雑であり、それ故に部品点数が多く、製造コストが高いという問題があった。
【先行技術文献】
【特許文献】
【０００５】
【特許文献１】特公平６−２８６６３号
【特許文献２】特許第５００１９８７号
【発明の概要】
【発明が解決しようとする課題】
【０００６】
本発明は上記従来技術の現状に鑑みて創案されたものであって、その目的は、リンク機構を利用しない比較的簡単な構成であって、かつ非力な者であっても簡単にチャージ操作が可能である生検装置、およびそれに使用するチャージ装置を提供することである。
【課題を解決するための手段】
【０００７】
本発明の生検装置は、「相対スライドする内針と外針で構成される生検針」を保持し、内針と外針をそれぞれ「チャージ位置」にロックするとともに、当該ロックを解除することで「突出位置」へと発射させるロック解除機構を備えている。
この生検装置は、
ケーシングと、
内針を保持するとともに、ケーシング内で「チャージ位置」と「突出位置」との間でスライド可能な内針用スライダと、
外針を保持するとともに、ケーシング内で「チャージ位置」と「突出位置」との間でスライド可能な外針用スライダと、
内針用スライダを「突出位置」へ向かって付勢する内針用スプリングと、
外針用スライダを「突出位置」へ向かって付勢する外針用スプリングと、
内針用スライダを、内針用スプリングの付勢力に抗して「チャージ位置」にロックする内針用ロック機構と、
外針用スライダを、外針用スプリングの付勢力に抗して「チャージ位置」にロックする外針用ロック機構と、を備えている。
ケーシングには、内針チャージ用孔および外針チャージ用孔が形成されている。内針用スライダは、内針チャージ用孔の内側に位置していて、外部から当該内針チャージ用孔に挿入した内針チャージ部材に押されて、内針用スプリングの付勢力に抗して「チャージ位置」までスライドすることができる。
外針用スライダは、外針チャージ用孔の内側に位置していて、外部から当該外針チャージ用孔に挿入した外針チャージ部材に押されて、外針用スプリングの付勢力に抗して「チャージ位置」までスライドすることができる。
【発明の効果】
【０００８】
以上のように構成された本発明の生検装置によれば、特に、上記内針チャージ部材および外針チャージ部材を進退可能に駆動可能なチャージ装置を用いた場合に、非力な者であっても簡単に生検針のチャージを完了させることができる。しかも、リンク機構を使用していない分だけ、装置構成を比較的簡単なものとすることができ、部品点数の削減およびコストダウンという点においても有利である。
【図面の簡単な説明】
【０００９】
【図１】本発明の一実施形態に係る生検装置の斜視図。
【図２】生検針の原理を説明する図。
【図３】図１の生検装置の分解図。
【図４】内針用スライダ２０がスライドする機構を説明する図。
【図５】外針用スライダ６０がスライドする機構を説明する図。
【図６】使用時における内針用スライダ２０および外針用スライダ６０の挙動を説明する図。
【図７】生検装置に使用するチャージ装置を説明する図。
【発明を実施するための形態】
【００１０】
本発明の実施形態を、添付の図面を参照して以下に説明する。図１は、本発明の一実施形態に係る生検装置１０を示す斜視図である。生検装置１０は、生検針を発射可能に保持している。生検針は、図２を参照して後述するように、相対スライドする内針２１と外針６１で構成される。
生検針の外径（外針６１の外径）は１．５ｍｍ程度であって、生検装置１０は片手で持つことができる程度の大きさである。詳しくは後述するが、まず生検装置１０の概要を説明する。
【００１１】
《生検装置１０の概要》
ケーシング１１内には、内針２１を保持する内針用スライダ２０と、外針６１を保持する外針用スライダ６０とがスライド可能に保持されている。内針用スライダ２０および外針用スライダ６０は、それぞれ、ケーシング１１内で「チャージ位置」と「突出位置」との間でスライド可能である。
内針用スライダ２０は、内針用スプリング２２によって「突出位置」へ向かって付勢されているが、摘まみ部３０を引くことで「チャージ位置」までスライドさせることができ、ロック機構によってそこにロックされる。同様に、外針用スライダ６０は、外針用スプリング６２によって「突出位置」へ向かって付勢されているが、摘まみ部７０を引くことで「チャージ位置」までスライドさせることができ、ロック機構によってそこにロックされる。
このようなチャージ操作は、摘まみ部３０、７０を引く以外にも、内針チャージ用孔１２、外針チャージ用孔１６に差し込んだ棒状部材によって、内針用スライダ２０、外針用スライダ６０をスプリング力に抗して「チャージ位置」まで押し込むことによっても行うことができる。
チャージ後、操作部材１を後方側へ（図１中、矢印Ａ）スライド操作することで、ロック機構が解除され、生検針が「チャージ位置」から「突出位置」へ発射される（厳密には、内針２０が最初に発射され、遅れて外針６１が発射される）。
【００１２】
《生検針の構成》
次に、図２を参照して、生検針の原理を簡単に説明する（この原理自体は、一般的に知られている）。生検針は、互いに相対スライドする内針２１と外針６１で構成される。外針６１は、筒状であってその先端（および後端）が開口している。内針２１は、先端が尖っており、先端よりやや後方位置に凹所２１ａが設けられている。
内針２１および外針６１が「チャージ位置」にロックされている状態から、生検装置１００の操作部材１を後方へ向かってスライド操作すると（図１中、矢印Ａ）、生検針が発射される（図２中、矢印Ｂ）。具体的には、最初に内針２１が発射されて臓器に突き刺さる。このとき、臓器の一部が凹所２１ａ上に載る。その後、少し(ほんの一瞬)遅れて外針６１が発射されて凹所２１ａを覆う。外針６１の先端にはカッティングエッジ６１ａが形成されていて、凹所２１ａに載った組織を臓器から切り取ることができ、その後、組織は生検針とともに体外に取り出される。
【００１３】
《生検装置１０の内部構造》
次に、生検装置１０の内部構造を詳細に説明する。図３は、生検装置１０の分解図である。ケーシング１１は、上下の２ピース、すなわち、ケーシング上片１１ａとケーシング下片１１ｂで構成されていて、これらの間に、内針用スライダ２０および外針用スライダ６０が挟み込むように保持される。図３では、ケーシング上片１１ａは外面側を示しており、ケーシング下片１１ｂは内面側を示している。
【００１４】
図３（ｂ）に矢印Ｃで示したように、内針２１を筒状の外針６１内に挿入し、両スライダ２０、６０を組み合わせ、それをケーシング１１内に組み込む。後述する図６は、ケーシング下片１１ｂ上に、組み合わせた両スライダ２０、６０をセットした状態を示している。この上にケーシング上片１１ａを嵌め合わせることで、図１の生検装置１０となる。
【００１５】
次に、ケーシング１１内で内針用スライダ２０および外針用スライダ６０がスライドする仕組みについて、順番に説明する。機構の理解を容易にするために、内針用スライダ２０および外針用スライダ６０それぞれについて、単体でケーシングにセットした状態で説明を行う。実際には、図６に示したように、両者は組み合わされた状態でケーシングにセットされる。
【００１６】
《内針用スライダ２０がスライドする仕組み》
図４は、ケーシング下片１１ｂ上に、内針用スライダ２０のみを載せた状態を示している。図４を参照して、ケーシング１１内で内針用スライダ２０がスライドする機構を説明する。
【００１７】
内針用スライダ２０は、シャフト３１を介して摘まみ部３０と連結されており、シャフト３１には、内針用スプリング２２が外挿されている。
【００１８】
内針用スライダ２０は、内針固定部２５に内針２１を保持していて、内針２１と一体的にスライドする。内針用スライダ２０が図４（ａ）の位置にあるとき、内針２１は最も飛び出した状態にあり、したがって本明細書では、内針２１および内針用スライダ２０に関して、この位置を「突出位置」と呼ぶ。内針用スプリング２２によって、内針用スライダ２０は「突出位置」へ向かって付勢されているが、摘まみ部３０を引っ張ることで、スプリング２２の付勢力に抗して、内針用スライダ２０を図４（ｃ）の位置にまでスライドさせることができる。本明細書において、この位置を「チャージ位置」と呼ぶ。
図４（ｂ）は、中間の位置を示している。
【００１９】
図４（ｃ）の「チャージ位置」においては、内針２１は最も退避した状態にあり、スプリング２２はチャージされた状態となる。また、内針固定部２５の後方側に形成された弾性係合部２６が、ケーシング後端に設けた係止孔１８に係合して、内針用スライダ２０を「チャージ位置」にロックしている。すなわち、弾性係合部２６および係止孔１８は、内針用ロック機構の一具体例である。
【００２０】
なお、詳しくは後述するが、内針チャージ用孔１２の内側に、内針用スライダ２０の先端部２０ａが位置している。したがって、外部から内針チャージ用孔１２に挿入した棒材等（内針チャージ部材１２０）によって、内針用スライダ２０を、内針用スプリング２２の付勢力に抗して押し込み、図４（ｃ）の「チャージ位置」までスライドさせることも可能である。
【００２１】
《外針用スライダ６０がスライドする仕組み》
図５は、ケーシング下片１１ｂ上に、外針用スライダ６０のみを載せた状態を示している。図５を参照して、ケーシング１１内で外針用スライダ６０がスライドする機構を説明する。
【００２２】
外針用スライダ６０は、シャフト７１を介して摘まみ部７０と連結されており、シャフト７１には、外針用スプリング６２が外挿されている。
【００２３】
外針用スライダ６０は、外針固定部６５に外針６１を保持していて、外針６１と一体的にスライドする。外針用スライダ６０が図５（ａ）の位置にあるとき、外針６１は最も飛び出した状態にあり、したがって本明細書では、外針６１および外針用スライダ６０に関して、この位置を「突出位置」と呼ぶ。外針用スプリング６２によって、外針用スライダ６０は「突出位置」へ向かって付勢されているが、摘まみ部７０を引っ張ることで、スプリング６２の付勢力に抗して、外針用スライダ６０を図５（ｃ）の位置にまでスライドさせることができる。本明細書において、この位置を「チャージ位置」と呼ぶ。
図５（ｂ）は、中間の位置を示している。
【００２４】
図５（ｃ）の「チャージ位置」においては、外針６１は最も退避した状態にあり、スプリング６２はチャージされた状態となる。また、外針固定部６５の後方側に形成された弾性係合部６６が、ケーシング内面に設けた係止孔１９に係合して、外針用スライダ６０を「チャージ位置」にロックしている。すなわち、弾性係合部６６および係止孔１９は、外針用ロック機構の一具体例である。
【００２５】
なお、詳しくは後述するが、外針チャージ用孔１６の内側に、外針用スライダ６０の先端部６０ａが位置している。したがって、外部から外針チャージ用孔１６に挿入した棒材等（外針チャージ部材１６０）によって、外針用スライダ６０を、外針用スプリング６２の付勢力に抗して押し込み、図５（ｃ）の「チャージ位置」までスライドさせることも可能である。
【００２６】
《使用時における生検装置１０の挙動》
次に、図６を参照して、内針２１および外針６１がチャージされた状態からの生検装置１０の挙動を説明する。図６（ａ）に詳しく示したように、内針用スライダ２０の弾性係合部２６は、弾性変位可能な一対の弾性爪２６ａ、２６ｂで構成されていて、チャージされた状態では、これらの弾性爪がケーシング本体の係止孔１８に係合した状態にある。
一方、図３に示したように、ケーシング１１上に設けた操作部材１を後方（矢印Ａ方向）にスライドさせると、歯車Ｇを介して連結された操作板２が、Ａとは逆のＢ方向にスライド移動する。操作板２の後端部には、対向する２つの斜面で構成される内針ロック解除部材３が設けられていて、当該部材３がロック状態にある２つの弾性爪２６ａ、２６ｂに圧接すると、弾性爪２６ａ、２６ｂが互いに接近するように撓み、これによってロック状態が解除される。
ロック状態が解除されると、内針用スプリング２２の付勢力により、内針用スライダ２０（および内針２１）は、「突出位置」に向けて発射される。図６（ｂ）は、内針用スライダ２０の発射直後の状態を示しているが、このとき、外針用スライダ６０は依然としてチャージされ、かつロックされた状態にある。
【００２７】
図６（ｂ）に詳しく示したように、外針用スライダ６０の弾性係合部６６は、弾性変位可能な一対の弾性爪６６ａ、６６ｂで構成されていて、外針用スライダ６０がチャージされた状態にあるとき、これらの弾性爪がケーシング内面に設けられた係止孔１９に係合した状態にある。
一方、内針用スライダ２０の内針固定部２５の前端には、対向する２つの斜面で構成される外針ロック解除部材４が形成されていて（図６ａ参照）、当該部材４がロック状態にある２つの弾性爪６６ａ、６６ｂに圧接すると、弾性爪６６ａ、６６ｂが互いに接近するように撓み、これによってロック状態が解除される。
ロック状態が解除されると、外針用スプリング６２の付勢力により、外針用スライダ６０（および外針６１）は、「突出位置」に向けて発射される。図６（ｃ）は、外針用スライダ６０の発射直後の状態を示しているが、このとき、内針用スライダ２０は、既に「突出位置」に到達している。このあと、図６（ｄ）に示すように、外針用スライダ６０が、内針用スライダ２０よりも遅れて「突出位置」に到達する。
【００２８】
以上のように、まず内針２１が発射され、遅れて外針６１が発射されることで、図２を参照して説明したように、臓器から一部組織を切り取ることができる。
【００２９】
《歯車Ｇを利用するロック解除機構のメリット》
上に説明したように、「操作部材１」と「内針ロック解除部材３を備えた操作板２」とは、歯車Ｇを介して連結されている（図３ａ）。これによるメリットを説明する。
内針ロック解除部材３によって内針用スライダ２０のロックを解除するためには、内針ロック解除部材３を、発射方向（矢印Ｂ）にスライドさせることが必要となる。しかし、使用者が発射方向に力を加えることは好ましくない。不用意に勢い余って、生検針を被験者に向けて押し出してしまう恐れがあるからである。
そこで、使用者が実際に操作する操作部材１を、歯車Ｇを介して、操作板２（および内針ロック解除部材３）に連結するようにした。その結果、使用者は操作部材１を後方側へ（被験者から遠ざかる方向へ）操作すればよい。これにより、内針ロック解除部材３は、発射方向にスライドしてロックを解除する。
【００３０】
《内針用スライダ２０および外針用スライダ６０を同時にチャージできる構造》
図６（ｃ）、（ｄ）に示したように、内針用スライダ２０の内針固定部２５の後端コーナ部Ｘと、外針用スライダ６０の後端に設けた肩部Ｙとが当接する形態を採用しているので、摘まみ部３０または後述する内針チャージ部材１２０によって内針用スライダ２０をチャージする際には、これと連動して外針用スライダ６０もチャージされることとなる。このように、１回のチャージ操作によって、両方のスライダ２０、６０を同時にチャージすることができる。
一方、摘まみ部７０または後述する外針チャージ部材１６０によって外針用スライダ６０をチャージする場合には、両者が連動することはなく、外針用スライダ６０だけがチャージされることとなる。生検針を体内から引き抜いた後、外針６１だけを退避させて内針の凹所２１を露出させたい場合（切除した組織を取り出すため）には、外針用スライダ６０だけをチャージすることとなる。
【００３１】
《チャージ装置を用いた内針用スライダ２０および外針用スライダ６０のチャージ》
以上説明したように、内針用スライダ２０および外針用スライダ６０は、それぞれ、摘まみ部３０、７０を引っ張ることで、「チャージ位置」までチャージすることができる。しかしながら、スプリング２２、６２の付勢力に抗して摘まみ部３０、７０を引っ張ることは、女性等の非力な者にとって容易でない場合もある。そこで、本発明の生検装置１０では、他の方法によってもチャージ操作を実現可能としている。
内針用スライダ２０に関しては、図４（ａ）に良く示されているように、内針チャージ用孔１２の内側に、内針用スライダ２０（特に、その先端部２０ａ）が位置している。したがって、外部から内針チャージ用孔１２に挿入した棒材等（内針チャージ部材１２０）によって、内針用スライダ２０を、内針用スプリング２２の付勢力に抗して押し込み、図４（ｃ）の「チャージ位置」までスライドさせることができる。
外針用スライダ６０に関しては、図５（ａ）に良く示されているように、外針チャージ用孔１６の内側に、外針用スライダ６０（特に、その先端部６０ａ）が位置している。したがって、外部から外針チャージ用孔１６に挿入した棒材等（外針チャージ部材１６０）によって、外針用スライダ６０を、外針用スプリング６２の付勢力に抗して押し込み、図５（ｃ）の「チャージ位置」までスライドさせることができる。
【００３２】
したがって、図１〜６に説明した生検装置１０において、摘まみ部３０、７０を省略して、内針チャージ用孔１２および外針チャージ用孔１６からチャージ部材を押し込むことによってのみチャージ操作を完了できるものとすることも可能である。
しかし、図示した生検装置１０によれば、摘まみ部を引っ張るか、チャージ部材を差し込むか、選択的に利用することができるので、使用方法のバリエーションが広いという点で有利である。
【００３３】
なお、内針用スライダ２０および外針用スライダ６０の具体的な形状は、図示したものに限られない。すなわち、本発明において、内針用スライダ２０、外針用スライダ６０の何れかの部分が内針チャージ用孔１２、外針チャージ用孔１６の内側に位置していて、その結果として、外部から挿入したチャージ部材によって当該部分を押し込み、スプリング付勢力に抗してスライダ２０、６０をスライドさせることができれば足りる。
【００３４】
図７を参照して、内針チャージ部材１２０および外針チャージ部材１６０を備えたチャージ装置を説明する。本発明のチャージ装置を利用すれば、非力な者であっても簡単かつ確実にチャージ操作を完了することができる。
【００３５】
《ラック・ピニオンを利用したチャージ装置》
図７に示したチャージ装置は、固定部１００とチャージ部２００を備えている。固定部１００は、生検装置１０を動かないように固定する。固定部１００が生検装置１０を固定するための具体的な機構は、チャックあるいはネジ止め等、公知の手段を適宜採用すればよい。なお図７では、生検装置１０は簡略的に示している。
【００３６】
チャージ部２００は、内針チャージ部材１２０および外針チャージ部材１６０を互いに独立して進退可能に保持している。第１押込み部材１３０は、上下方向に移動可能な細長い部材で構成されており、長手方向に沿ってラック部１３１が形成されている。一方、内針チャージ部材１２０は、水平方向に進退可能な細長い部材１２３の先端に固定されていて、当該部材１２３にも長手方向に沿ってラック部１２１が形成されている。同様に、第２押込み部材１７０は、上下方向に移動可能な細長い部材で構成されており、長手方向に沿ってラック部１７１が形成されている。一方、外針チャージ部材１６０は、水平方向に進退可能な細長い部材１６３の先端に固定されていて、当該部材１６３にも長手方向に沿ってラック部１６１が形成されている。
【００３７】
内針チャージ部材のラック部１２１と第１押込み部材のラック部１３１は、チャージ部の内側において、不図示の歯車機構を介して互いに連結されている。したがって、第１押込み部材１３０を下方に押し込むと（図７中、矢印Ｌ１）、内針チャージ部材１２０が生検装置１０の内針チャージ用孔１２内へと進入する（図７中、矢印Ｌ２）。
この結果、図４（ａ）→（ｂ）→（ｃ）で示されるように、内針チャージ部材１２０が内針用スライダ２０をスプリング２２の付勢力に抗して「チャージ位置」まで押し込む（チャージする）。
なお、第１押込み部材１３０は、不図示のスプリングによって、図７に示した上方位置へと付勢されていて、チャージ操作後に、第１押込み部材１３０を押し込む手を離すと、自動的に上方位置まで復帰する。
【００３８】
外針チャージ部材のラック部１６１と第２押込み部材のラック部１７１は、チャージ部の内側において、不図示の歯車機構を介して互いに連結されている。したがって、第２押込み部材１７０を下方に押し込むと（図７中、矢印Ｍ１）、外針チャージ部材１６０が生検装置１０の外針チャージ用孔１６内へと進入する（図７中、矢印Ｍ２）。
この結果、図５（ａ）→（ｂ）→（ｃ）で示されるように、外針チャージ部材１６０が外針用スライダ６０をスプリング６２の付勢力に抗して「チャージ位置」まで押し込む（チャージする）。
なお、第２押込み部材１７０は、不図示のスプリングによって、図７に示した上方位置へと付勢されていて、チャージ操作後に、第２押込み部材１７０を押し込む手を離すと、自動的に上方位置まで復帰する。
【００３９】
歯車機構の減速比を例えば１／２に設定すると、第１、第２押込み部材１３０、１７０を押し込むストロークは２倍になるが必要な力は１／２となり、簡単にチャージ操作を完了することができる。減速比の具体的な値は、適宜設定することができる。
また、減速せずに単に歯車で連結するだけの場合でも、チャージ装置を机上に置いて押し込む操作によってチャージが可能となるため、摘まみ部３０、７０を指で引っ張る場合に比べれば、操作は容易である。
【００４０】
《回動レバーを利用したチャージ装置》
図７の枠内に示したように、チャージ部２００の別例として、回動レバーを利用することもできる。この例では、チャージ部２００は、第１押込み部材１３０、第２押込み部材１７０に代えて、第１回動レバー１３５および第２回動レバー１７５を備える。
【００４１】
第１回動レバー１３５は、チャージ部の内側において、不図示の歯車機構を介して、内針チャージ部材１２０のラック部１２１と連結されている。したがって、第１回動レバー１３５を図７中、矢印Ｌ３の方向に回動させると、内針チャージ部材１２０が生検装置１０の内針チャージ用孔１２内へと進入する（図７中、矢印Ｌ２）。
【００４２】
第２回動レバー１７５は、チャージ部の内側において、不図示の歯車機構を介して、外針チャージ部材１６０のラック部１６１と連結されている。したがって、第２回動レバー１７５を図７中、矢印Ｍ３の方向に回動させると、外針チャージ部材１６０が生検装置１０の外針チャージ用孔１６内へと進入する（図７中、矢印Ｍ２）。
【００４３】
なお、回動レバー１３５、１７５の回動方向と、チャージ部材１２０、１６０の進退方向との関係は、歯車機構の構成によって変更することが可能である。
【００４４】
回動レバーを利用する場合には、レバーの長さを適宜設定することで、テコの原理により小さな力でチャージ部材１２０、１６０を押し込むことができる。さらに追加的に、歯車機構に減速比を設定してもよい。
【００４５】
《電動モータを利用したチャージ装置》
さらに別例として、図示はしていないが、内針チャージ部材のラック部１２１、および外針チャージ部材のラック部１６１に対して、それぞれ電動歯車モータを係合させることで、スイッチオンの操作だけでチャージを行うことができる。電動歯車モータは、２つのモータを独立して各ラック部１２１、１６１に係合させてもよいし、１つのモータを歯車機構を介して両ラック部１２１、１６１に係合させてもよい。
電動モータを利用すれば、非力なものであってもスイッチ操作のみによって、チャージを行うことできる。
【符号の説明】
【００４６】
１  操作部材
２  操作板
３  内針ロック解除部材
４  外針ロック解除部材
１０  生検装置
１１  ケーシング
１１ａ  ケーシング上片
１１ｂ  ケーシング下片
１２  内針チャージ用孔
１６  外針チャージ用孔
１８、１９  係止孔
２０  内針用スライダ
２０ａ  内針用スライダの先端部
２１  内針
２１ａ  凹所
２２  内針用スプリング
２５  内針固定部
２６  弾性係合部
２６ａ、ｂ  弾性爪
３０  摘まみ部
３１  シャフト
６０  外針用スライダ
６０ａ  外針用スライダの先端部
６１  外針
６１ａ  カッテイングエッジ
６２  外針用スプリング
６５  外針固定部
６６  弾性係合部
６６ａ、ｂ  弾性爪
７０  摘まみ部
７１  シャフト
１００  固定部
１２０  内針チャージ部材
１２１  ラック部
１３０  第１押込み部材
１３１  ラック部
１３５  第１回動レバー
１６０  外針チャージ部材
１６１  ラック部
１７０  第２押込み部材
１７１  ラック部
１７５  第２回動レバー
２００  チャージ部
【図１】
2015002916.tif 000003
【図２】
2015002916.tif 000004
【図３】
2015002916.tif 000005
【図４】
2015002916.tif 000006
【図５】
2015002916.tif 000007
【図６】
2015002916.tif 000008
【図７】
2015002916.tif 000009